(57)【要約】【課題】端子付電線において、電線と端子との接続箇所の劣化及び端子と相手側部材との接続性能の低下を抑制すること。【解決手段】端子付線１は、電線２と端子３とを備える。端子３は、電線２の端部に接続された電線接続部３１と相手側接続部３２と電線接続部３１及び相手側接続部３２を繋ぐ中継部３３とを含む。端子３は、曲げ変形可能な複数の金属板材が重ね合わされて形成され、電線接続部３１及び相手側接続部３２の少なくとも一方において、隣り合う金属板材がはんだで接続されることにより複数の金属板材が一体化されている。【選択図】図１
2016058182.tif 000002
【特許請求の範囲】
【請求項１】
電線と、
前記電線の端部に接続された電線接続部と相手側部材に接続可能な相手側接続部と前記電線接続部及び前記相手側接続部を繋ぐ中継部と、を含み、曲げ変形可能な複数の金属板材が重ね合わされて形成され、前記電線接続部及び前記相手側接続部の少なくとも一方において、隣り合う前記金属板材がはんだで接続されることにより前記複数の金属板材が一体化され、前記中継部において前記複数の金属板材各々が分離した状態で変形することによって、前記中継部が柔軟に形成されている端子と、を備える、端子付電線。
【請求項２】
請求項１に記載の端子付電線であって、
前記電線の端部と前記端子の前記電線接続部との接続部分の周囲を覆う樹脂のモールド部をさらに備える、端子付電線。
【請求項３】
請求項１又は請求項２に記載の端子付電線であって、
前記端子は、前記電線の端部にかしめられて接続された前記電線接続部を備え、
前記端子の前記電線接続部における前記複数の金属板材のうち、前記電線側の少なくとも１つの前記金属板材にスリットが形成され、前記電線接続部における前記電線側の面に凹凸部が形成されている、端子付電線。
【請求項４】
請求項１から請求項３のいずれか１項に記載の端子付電線であって、
前記端子の前記中継部において、前記複数の金属板材が、前記相手側接続部と前記電線接続部とを接近させること及び離隔させることが可能に曲げられている、端子付電線。
【請求項５】
請求項１から請求項４のいずれか１項に記載の端子付電線であって、
前記端子の前記電線接続部及び前記相手側接続部の外周面の全面に、前記はんだが設けられている、端子付電線。
【請求項６】
電線の端部に接続可能な電線接続部と相手側部材に接続可能な相手側接続部と前記電線接続部及び前記相手側接続部を繋ぐ中継部と、を含み、
曲げ変形可能な複数の金属板材が重ね合わされて形成され、前記電線接続部及び前記相手側接続部の少なくとも一方において、隣り合う前記金属板材がはんだで接続されることにより前記複数の金属板材が一体化され、
前記中継部において前記複数の金属板材各々が分離した状態で変形することによって、前記中継部が柔軟に形成されている、端子。
【発明の詳細な説明】
【技術分野】
【０００１】
本発明は、端子及び端子と電線とを備える端子付電線に関する。
【背景技術】
【０００２】
自動車等の車両に搭載されるワイヤーハーネスにおいて、端子付電線は、電線と電線の端部に接続された端子とを備える。電線と端子とは、圧着又は溶接等により接続される。
【０００３】
また、特許文献１に示されるように、端子付電線における電線の周囲に編組線等のシールド部材が設けられる場合も考えられる。
【先行技術文献】
【特許文献】
【０００４】
【特許文献１】特開２００６−００４７５５号公報
【発明の概要】
【発明が解決しようとする課題】
【０００５】
ところで、端子付電線においては、電線が少し捻れた状態で端子と接続される場合又は電線と端子とが正規の箇所から少しずれた箇所で接続される場合がある。これらの場合、端子付電線の端子が相手側部材に接続されたときにおいて、端子と電線との接続箇所が劣化すること及び端子と相手側部材との接続性能が低下することが懸念される。特に電線径が大きい端子付電線の場合、電線の可撓性が低いことから接続箇所の劣化及び接続性能の低下が顕著である。
【０００６】
本発明は、端子付電線において、電線と端子との接続箇所の劣化及び端子と相手側部材との接続性能の低下を抑制することを目的とする。
【課題を解決するための手段】
【０００７】
第１態様に係る端子付電線は、電線と、前記電線の端部に接続された電線接続部と相手側部材に接続可能な相手側接続部と前記電線接続部及び前記相手側接続部を繋ぐ中継部と、を含み、曲げ変形可能な複数の金属板材が重ね合わされて形成され、前記電線接続部及び前記相手側接続部の少なくとも一方において、隣り合う前記金属板材がはんだで接続されることにより前記複数の金属板材が一体化され、前記中継部において前記複数の金属板材各々が分離した状態で変形することによって、前記中継部が柔軟に形成されている端子と、を備える。
【０００８】
第２態様に係る端子付電線は、第１態様に係る端子付電線の一態様である。第２態様に係る端子付電線は、前記電線の端部と前記端子の前記電線接続部との接続部分の周囲を覆う樹脂のモールド部をさらに備える。
【０００９】
第３態様に係る端子付電線は、第１態様又は第２態様に係る端子付電線の一態様である。第３態様に係る端子付電線において、前記端子は、前記電線の端部にかしめられて接続された前記電線接続部を備える。前記端子の前記電線接続部における前記複数の金属板材のうち、前記電線側の少なくとも１つの前記金属板材にスリットが形成され、前記電線接続部における前記電線側の面に凹凸部が形成されている。
【００１０】
第４態様に係る端子付電線は、第１態様から第３態様のいずれか一態様に係る端子付電線である。第４態様に係る端子付電線においては、前記端子の前記中継部において、前記複数の金属板材が、前記相手側接続部と前記電線接続部とを接近させること及び離隔させることが可能に曲げられている。
【００１１】
第５態様に係る端子付電線は、第１態様から第４態様のいずれか一態様に係る端子付電線である。第５態様に係る端子付電線においては、前記端子の前記電線接続部及び前記相手側接続部の外周面の全面に、前記はんだが設けられている。
【００１２】
第６態様に係る端子は、電線の端部に接続可能な電線接続部と相手側部材に接続可能な相手側接続部と前記電線接続部及び前記相手側接続部を繋ぐ中継部と、を含み、曲げ変形可能な複数の金属板材が重ね合わされて形成され、前記電線接続部及び前記相手側接続部の少なくとも一方において、隣り合う前記金属板材がはんだで接続されることにより前記複数の金属板材が一体化され、前記中継部において前記複数の金属板材各々が分離した状態で変形することによって、前記中継部が柔軟に形成されている。
【発明の効果】
【００１３】
上記の各態様において、複数の金属板材が重ね合わされて形成された端子は、電線の端部に接続された電線接続部と相手側部材に接続可能な相手側接続部と電線接続部及び相手側接続部を繋ぐ中継部と、を含む。また、電線接続部及び相手側接続部の少なくとも一方において、隣り合う金属板材がはんだで接続されることにより複数の金属板材が一体化されている。この場合、端子の中継部において、曲げ変形可能な複数の金属板材各々が分離した状態で変形することによって、中継部が柔軟に形成されている。そのため、電線と端子とが正規の箇所から少しずれた箇所で接続されていた場合又は電線が捻れた状態で端子と接続されていた場合において、相手側部材に対し端子の相手側接続部を正確に合わせることが可能となる。また、上記のような場合において、端子付電線における端子の中継部は、電線と端子の電線接続部とに加わる応力を吸収することが可能となる。即ち、上記の各態様においては、電線と端子との接続箇所の劣化及び端子と相手側部材との接続性能の低下を抑制することができる。
【００１４】
また、第２態様において、端子付電線は、電線の端部と端子の電線接続部との接続部分の周囲を覆う樹脂のモールド部をさらに備える。この場合、電線と端子との接続部分を封止することができる。
【００１５】
また、第３態様において、端子は、電線の端部にかしめられて接続された電線接続部を備える。そして、端子の電線接続部における複数の金属板材のうち、電線側の少なくとも１つの金属板材にスリットが形成され、電線接続部における電線側の面に凹凸部が形成されている、この場合、電線接続部の凹凸部が電線に押し当てられるようにして端子と電線とが圧着される。即ち、第３態様の端子付電線は、電線と端子とが圧着によって接続される場合に有効である。
【００１６】
また、第４態様において、端子の中継部の複数の金属板材が、相手側接続部と電線接続部とを接近させること及び離隔させることが可能に曲げられている。この場合、相手側接続部と電線接続部との相対位置がより大きく変化するように、中継部をより曲げ易くすることができる。
【００１７】
また、第５態様において、端子の電線接続部及び相手側接続部の外周面の全面に、はんだが設けられている。この場合、端子の電線接続部及び相手側接続部を、はんだで覆うことができ、隣り合う金属板材同士の接触面積が増えることで導電率の向上を図ることができる。また、はんだで覆うことで端子の電線接続部及び相手側接続部が酸化することを抑制できる。
【００１８】
また、第６態様において、このような端子を含む端子付電線は、電線と端子との接続箇所の劣化及び端子と相手側部材との接続性能の低下を抑制することができる。
【図面の簡単な説明】
【００１９】
【図１】第１実施形態に係る端子付電線の一部切り欠き側面図である。
【図２】第１実施形態に係る端子付電線の端子の側面図である。
【図３】第１実施形態に係る端子付電線の端子の平面図である。
【図４】第１実施形態に係る端子付電線の製造工程の一部を示す図である。
【図５】第１実施形態に係る端子付電線の製造工程の一部を示す図である。
【図６】第２実施形態に係る端子付電線の一部切り欠き側面図である。
【図７】第３実施形態に係る端子付電線の平面図である。
【図８】第３実施形態に係る端子付電線の端子の平面図である。
【図９】第３実施形態に係る端子付電線の端子の側面図である。
【図１０】第４実施形態に係る端子付電線の平面図である。
【発明を実施するための形態】
【００２０】
以下、添付の図面を参照しながら、本発明の実施形態について説明する。以下の実施形態は、本発明を具現化した一例であり、本発明の技術的範囲を限定する事例ではない。
【００２１】
＜第１実施形態＞
図１〜５を参照しつつ、第１実施形態に係る端子付電線１について説明する。本実施形態に係る端子付電線１は、例えば、自動車等の車両に搭載される。
【００２２】
端子付電線１は、電線２と端子３とを備える。なお、本実施形態では、端子付電線１は、さらにモールド部４を備える。
【００２３】
図１は、端子付電線１の一部切り欠き側面図である。図１においては、モールド部４の内部及び電線２の断面が示されている。図２，３は、それぞれ端子付電線１の端子３の側面図及び平面図である。
【００２４】
＜端子付電線：電線＞
本実施形態において、電線２は、芯線２１と芯線２１の周囲を覆う絶縁被覆２２とを備える。即ち、本実施形態は、電線２が、絶縁電線である場合の事例である。
【００２５】
芯線２１は、例えば、銅又はアルミニウム等の金属を主成分とする線材である。絶縁被覆２２は、例えば、ポリエチレン、塩化ビニル又はポリアミド系ナイロンなどを主成分とする合成樹脂の部材である。
【００２６】
＜端子付電線：端子＞
端子付電線１において、端子３は、曲げ変形可能な複数の金属板材３Ｘが重ね合わされて形成されている。図２，３には、平板状の金属板材３Ｘが複数重ね合わされて形成された状態の端子３、即ち、電線２に接続される前の状態の端子３が、二点鎖線（仮想線）で示されている。
【００２７】
なお、本明細書の図１、図４〜８及び図１０においては、便宜上、端子付電線１の端子３を形成する複数の金属板材３Ｘが省略されて示されている。
【００２８】
金属板材３Ｘは、曲げることが可能な薄い金属の部材である。本実施形態において、金属板材３Ｘは、銅を主成分とする金属の部材である。しかしながら、金属板材３Ｘが、例えば、アルミニウム等の銅以外の金属を主成分とする金属の部材である場合も考えられる。
【００２９】
薄い金属板材３Ｘは、例えば、折り曲げること及びねじること等が可能である。本実施形態においては、金属板材３Ｘは、例えば、その厚さが０．４ｍｍ以下の部材であること、より好ましくは、０．２ｍｍ以下の部材であること、が考えられる。端子３に採用される金属板材３Ｘの厚みは、例えば、この端子３に必要な強度及び柔軟性或いは金属板材３Ｘの材料等を考慮して決定されることが考えられる。
【００３０】
端子付電線１において、端子３は、電線接続部３１と相手側接続部３２と中継部３３とを含んでいる。
【００３１】
電線接続部３１は、電線２の端部に接続される部分である。また、電線接続部３１は、電線２と端子３とを電気的に接続する部分でもある。
【００３２】
本実施形態では、電線接続部３１は、電線２の絶縁被覆２２から延び出た芯線２１に接続されている。なお、本実施形態において、電線接続部３１が、さらに、電線２の絶縁被覆２２に接続される部分を含んでいる場合も考えられる。
【００３３】
また、本実施形態では、端子３は、電線２の端部にかしめられて接続された電線接続部３１を備える。即ち、電線接続部３１は、電線２の端部の芯線２１の周囲を覆うようにかしめられることによって、電線２の芯線２１に圧着されている。なお、電線接続部３１が、電線２の端部の絶縁被覆２２の周囲を覆うようにかしめられることによって、電線２の絶縁被覆２２に圧着されている部分を含む場合も考えられる。また、電線接続部３１が、電線２の端部に超音波溶接又は熱溶接等によって接続されている場合も考えられる。
【００３４】
また、本実施形態では、端子３の電線接続部３１における複数の金属板材３Ｘのうち、電線２側の少なくとも１つの金属板材３Ｘにスリット３１１が形成されている。そして、電線接続部３１における電線２側の面には、凹凸部３１２が形成されている。
【００３５】
本実施形態では、スリット３１１は、電線接続部３１における電線２の端部の芯線２１に接触する部分に形成されている。図１，３に示されるように、スリット３１１は、端子３の長手方向に直交する向きに沿って直線状に形成された切れ目である。なお、上記の端子３の長手方向は、電線接続部３１における電線２側の端部から中継部３３側に向かう方向を指す。
【００３６】
また、図１，３に示される例は、電線接続部３１に、３つのスリット３１１が形成されている場合の事例である。３つのスリット３１１は、端子３の長手方向に沿って並列に並んでいる。なお、電線接続部３１に、スリット３１１が、１つ形成されている場合、２つ形成されている場合或いは４つ以上形成されている場合も考えられる。
【００３７】
また、図１，３に示される例では、スリット３１１は、直線状に形成されているが、スリット３１１が、曲線状の切れ目である場合も考えられる。また、スリット３１１が、スポット状に設けられた孔である場合等も考えられる。また、スリット３１１が、端子３の電線接続部３１の幅方向において、電線接続部３１の一方の縁から他方の縁まで形成されている場合も考えられる。
【００３８】
また、本実施形態においては、スリット３１１は、端子３の電線接続部３１における複数の金属板材３Ｘのうち、電線２側の複数に形成されている。しかしながら、スリット３１１が、端子３の電線接続部３１における複数の金属板材３Ｘのうち、電線２側の１つに形成されている場合も考えられる。また、スリット３１１が、端子３の電線接続部３１における複数の金属板材３Ｘの全部に形成されている場合も考えられる。
【００３９】
電線接続部３１に形成されたスリット３１１が成す凹部と電線接続部３１におけるスリット３１１が形成されていない部分とは、凹凸部３１２を成す。凹凸部３１２は、電線接続部３１における電線２側の面に形成されている。本実施形態においては、凹凸部３１２における凸状の部分が、電線２の端部の芯線２１に食い込んだ状態で、端子３の電線接続部３１と電線２の芯線２１とが圧着される。なお、凹凸部３１２における凸状の部分は、電線接続部３１におけるスリット３１１間の部分である。
【００４０】
本実施形態では、凹凸部３１２が、電線２の端部の芯線２１に食い込んだ状態で、端子３の電線接続部３１と電線２の芯線２１とが接続されるため、端子３と電線２との接続状態をより安定させることが可能となる。
【００４１】
端子３の相手側接続部３２は、この端子３の接続相手である相手側部材５に接続可能な部分である。本実施形態は、端子３と相手側部材５とが、ボルト締結によって接続される場合の事例である。従って、本実施形態において、相手側接続部３２には、ボルト締結用のボルト孔３２１が形成されている。
【００４２】
端子付電線１における端子３においては、電線接続部３１及び相手側接続部３２の少なくとも一方において、隣り合う金属板材３Ｘがはんだで接続されることにより複数の金属板材３Ｘが一体化されている。なお、本実施形態では、電線接続部３１及び相手側接続部３２の両方において、重なった状態の金属板材３Ｘのうち隣り合う金属板材３Ｘがはんだ７で接続されることにより複数の金属板材３Ｘが一体化されている端子３を端子付電線１が備えている。詳しくは、後述する。
【００４３】
端子３の中継部３３は、電線接続部３１と相手側接続部３２とを繋ぐ部分である。本実施形態において、端子３の中継部３３では、端子３の電線接続部３１及び相手側接続部３２のように、隣り合う金属板材３Ｘがはんだ７によって接続されていない。即ち、中継部３３において、複数の金属板材３Ｘは、分離している。中継部３３において複数の金属板材３Ｘ各々が分離した状態で変形することにより、中継部３３は柔軟に形成されている。厚い部材に比べ、薄い部材においては、曲げ変形時により小さな力で曲げ方向の外側の部分が伸びることが可能である。本実施形態では、中継部３３において、隣り合う金属板材３Ｘが接続されず、別々の状態で曲げられる。即ち、重ね合わされて端子３を形成する状態においても、薄い金属板材３Ｘが有する曲げ易さが損なわれない。この場合、中継部３３と同じ厚みの一体化された部材に比べ、端子３における中継部３３の曲げ方向の外側の部分が伸びやすくなり、その結果、中継部３３が柔軟に形成される。また、例えば、端子３における中継部３３においては、複数の金属板材３Ｘが、相互にすれ違う方向に移動するように変形すること、撓むように変形すること及び相互に離隔するように変形すること等も可能である。
【００４４】
また、本実施形態では、端子３の中継部３３において、複数の金属板材３Ｘが、相手側接続部３２と電線接続部３１とを接近させること及び離隔させることが可能に曲げられている。図１に示される例では、端子３の中継部３３は、端子３の電線接続部３１の主面に垂直に交差する方向に突出するように曲げられている。そして、図１に示される端子３は、折り返された部分を有する。図１では、端子３の中継部３３は、１箇所の折り返された部分を有している。なお、端子３の中継部３３が、２箇所以上の折り返された部分を含んでいる場合も考えられる。
【００４５】
また、端子３の中継部３３が曲げられた状態において、複数の金属板材３Ｘ間に隙間が形成されている場合が考えられる。例えば、中継部３３における曲げの外側と内側とで、曲率が大きく異なる場合等に、端子３の中継部３３において、複数の金属板材３Ｘ間に隙間が形成されていることが考えられる。なお、端子３の中継部３３が曲げられた状態において、複数の金属板材３Ｘ間に隙間が形成されていない場合、即ち、複数の金属板材３Ｘのうち隣り合う金属板材３Ｘ同士が接触している場合も考えられる。
【００４６】
また、端子３は、外縁の輪郭形状が同じ金属板材３Ｘが重ね合わされることにより形成される場合又は外縁の輪郭形状が異なる複数種類の金属板材３Ｘが重ね合わされることにより形成される場合が考えられる。
【００４７】
＜端子付電線：モールド部＞
本実施形態では、端子付電線１は、モールド部４を備えている。モールド部４は、電線２の端部と端子３の電線接続部３１との接続部分を覆う樹脂で形成された部材である。本実施形態において、モールド部４は、電線２の端部の絶縁被覆２２及び芯線２１と端子３の電線接続部３１との周囲を覆っている。
【００４８】
モールド部４は、例えば、ＰＰＳ（ポリフェニレンスルファイド）樹脂、ＰＰＡ（ポリフタルアミド）樹脂、ＬＣＰ樹脂（液晶ポリマー）、フェノール系、ポリエステル系、ポリアミド系又はエポキシ系の樹脂で形成された部材であることが考えられる。
【００４９】
本実施形態においては、モールド部４は、電線２の端部の絶縁被覆２２及び芯線２１の外周面に対し密接している。また、モールド部４は、端子３の電線接続部３１の外周面に対しても密接している。従って、電線２の端部と端子３の電線接続部３１との接続部分に水等の液体が侵入することが防がれる。
【００５０】
また、図１に示されるように、例えば、この端子３の接続相手である相手側部材５が金属の筐体６に収容されている場合、モールド部４を、その筐体６に形成された開口部を塞ぐように嵌めることにより、端子付電線１を筐体６に固定することも可能である。なお、図１において、筐体６及び相手側部材５は、二点鎖線（仮想線）で示されている。
【００５１】
図１に示される例においては、モールド部４は、筐体６の開口部と嵌り合うことが可能な形状に形成されている。また、図１に示される例は、端子付電線１の端子３の相手側接続部３２の接続相手である相手側部材５が、端子台である場合の事例である。また、筐体６に形成された開口部は、端子３の電線接続部３１に接続された電線２が引き出される部分である。上記の場合、端子付電線１が、電磁ノイズを遮蔽する編組線等のシールド部材及びこのシールド部材と金属の筐体６とを接続する金属ブラケット等のシールド接続部をさらに備えている場合も考えられる。
【００５２】
＜端子付電線＞
次に、図４，５を参照しつつ、本実施形態の端子付電線１の製造方法の一例について説明する。図４は、端子３の相手側接続部３２における複数の金属板材３Ｘが一体化される様子を示した図である。図５は、端子３の電線接続部３１における複数の金属板材３Ｘが一体化される様子を示した図である。
【００５３】
本実施形態では、図４，５に示されるように、流動状のはんだ７が溜まったポット７１に、複数の金属板材３Ｘを重ねた状態で浸けることにより、複数の金属板材３Ｘが一体化される。
【００５４】
本実施形態においては、まず、平板状の複数の金属板材３Ｘを重ねた状態で、複数の金属板材３Ｘが折り返された部分を含むように、平板状の複数の金属板材３Ｘが曲げられる。この複数の金属板材３Ｘの折り返された部分は、端子３の中継部３３を成す。そして、複数の金属板材３Ｘにおける電線接続部３１に対して反対側の端部に、ボルト孔３２１があけられる。
【００５５】
即ち、本実施形態では、複数の金属板材３Ｘを曲げてからボルト孔３２１が設けられる。これは、平板状の複数の金属板材３Ｘにボルト孔３２１を設けた後に複数の金属板材３Ｘを曲げる場合、曲げの外側と内側とで曲率が大きく異なると、複数の金属板材３Ｘを曲げる前と曲げた後とでボルト孔３２１の大きさ及び形状が変わってしまう恐れをより確実に回避するためである。なお、平板状の金属板材３Ｘにボルト孔３２１を設けた後に複数の金属板材３Ｘを曲げて端子３が作られる場合も考えられる。
【００５６】
本実施形態においては、図４に示される例のように、複数の金属板材３Ｘの相手側接続部３２が、ポット７１内の流動状のはんだ７に浸漬される。その後、ポット７１内から複数の金属板材３Ｘが取り出され、流動状のはんだ７が固化することにより、相手側接続部３２における複数の金属板材３Ｘが一体化される。
【００５７】
このため、本実施形態では、相手側接続部３２の外周面の全面に、はんだ７が設けられる。即ち、相手側接続部３２の各主面、縁部及びボルト孔３２１の内縁部を覆うようにはんだ７が設けられる。即ち、本実施形態では、相手側接続部３２は、はんだ７によりメッキされる。
【００５８】
また、本実施形態においては、図５に示される例のように、複数の金属板材３Ｘの電線接続部３１が、ポット７１内の流動状のはんだ７に浸漬される。その後、ポット７１内から複数の金属板材３Ｘが取り出され、流動状のはんだ７が固化することにより、電線接続部３１における複数の金属板材３Ｘが一体化される。
【００５９】
即ち、本実施形態では、電線接続部３１の外周面の全面に、はんだ７が設けられる。はんだ７は、電線接続部３１の各主面及び縁部を覆うように設けられる。また、はんだ７は、電線接続部３１におけるスリット３１１が形成された箇所と形成されていない箇所との凹凸面に沿う状態で固化する。この部分は、凹凸部３１２を成す。
【００６０】
なお、先に電線接続部３１における複数の金属板材３Ｘをはんだ７で一体化し、その後、相手側接続部３２における複数の金属板材３Ｘをはんだ７で一体化してもよい。また、電線接続部３１及び相手側接続部３２の複数の金属板材３Ｘを同時に一体化してもよい。
【００６１】
また、本実施形態では、端子付電線１の電線２と端子３との接続部分をインサート領域として、モールド部４が形成される。本実施形態では、端子付電線１がモールド部４を備えることにより、端子３の中継部３３が変形した場合でも、例えば、筐体６に対する端子付電線１の位置を固定することができる。即ち、端子付電線１における電線２の筐体６に対する位置を、モールド部４によって固定することができる。
【００６２】
そして、本実施形態においては、電線２の端部に接続された端子３の電線接続部３１よりも、端子３の先端側（相手側接続部３２側）に形成された中継部３３の折り返された部分が、伸縮するように変形することにより、電線接続部３１に対する相手側接続部３２の位置を動かすことができる。そのため、端子付電線１は、端子３の相手側接続部３２のボルト孔３２１とこの端子３の接続相手の相手側部材５との接続位置が、例えば、相手側部材５の寸法公差等によりずれている場合でも、端子３の中継部３３が変形することで、相手側部材５により簡易に接続することが可能となる。
【００６３】
＜効果＞
本実施形態では、端子３の中継部３３において、隣り合う金属板材３Ｘすれ違うように端子３が変形することにより、中継部３３が曲げ変形可能である。即ち、本実施形態において、端子３の中継部３３は、柔軟に形成されている。そのため、電線２と端子３とが正規の箇所から少しずれた箇所で接続されていた場合又は電線２が捻れた状態で端子３と圧着されていた場合において、相手側部材５に対し端子３の相手側接続部３２を正確に合わせることが可能となる。また、上記のような場合において、端子付電線１における端子３の中継部３３は、電線２と端子３の電線接続部３１とに加わる応力を吸収することが可能となる。即ち、本実施形態においては、電線２と端子３との接続箇所の劣化及び端子３と相手側部材５との接続性能の低下を抑制することができる。
【００６４】
また、本実施形態において、端子付電線１は、電線２の端部と端子３の電線接続部３１との接続部分の周囲を覆う樹脂のモールド部４をさらに備える。この場合、電線２と端子３との接続部分を封止することができる。
【００６５】
また、本実施形態において、端子３は、電線２の端部にかしめられて接続された電線接続部３１を備える。そして、端子３の電線接続部３１における複数の金属板材３Ｘのうち、電線２側の少なくとも１つの金属板材３Ｘにスリットが形成され、電線接続部３１における電線２側の面に凹凸部３１２が形成されている、この場合、電線接続部３１の凹凸部３１２が電線２に押し当てられるようにして端子３と電線２とが圧着される。即ち、端子付電線１は、電線２と端子３とが圧着によって接続される場合に有効であり、圧着状態をより良好にすることができる。
【００６６】
また、本実施形態において、端子３の中継部３３の複数の金属板材３Ｘが、相手側接続部３２と電線接続部３１とを接近させること及び離隔させることが可能に曲げられている。この場合、相手側接続部３２と電線接続部３１との相対位置がより大きく変化するように、中継部３３をより曲げ易くすることができる。
【００６７】
また、本実施形態において、端子３の電線接続部３１及び相手側接続部３２の外周面の全面に、はんだ７が設けられている。この場合、端子３の電線接続部３１及び相手側接続部３２を、はんだ７で覆うことができる。この場合、金属板材３Ｘとして、錫（Ｓｎ）もしくは錫に銀（Ａｇ）、銅（Ｃｕ）、ビスマス（Ｂｉ）などが添加された錫合金のメッキが施されていない銅板を採用することも可能である。
【００６８】
また、本実施形態において、端子３は、電線接続部３１及び相手側接続部３２における複数の金属板材３Ｘをポット７１内のはんだ７に浸漬させることによって、簡易に作ることができる。
【００６９】
＜第２実施形態＞
次に、図６を参照しつつ、第２実施形態に係る端子付電線１Ａについて説明する。図６は、端子付電線１Ａの一部切り欠き側面図である。図６において、図１〜５に示される構成要素と同じ構成要素は、同じ参照符号が付されている。
【００７０】
本実施形態では、端子付電線１Ａは、第１実施形態の端子３と異なる形状の端子３Ａを備えている。以下、端子付電線１Ａにおける端子付電線１と異なる点について説明する。
【００７１】
端子３Ａは、電線接続部３１側から相手側接続部３２側に向かって波形状に形成された中継部３３Ａを含む。本実施形態において、中継部３３Ａは、端子３Ａの第一主面側に突出するように曲げられた部分と端子３Ａの第二主面側に突出するように曲げられた部分とが、電線接続部３１側から相手側接続部３２側に向かう方向に沿って交互に形成されている。
【００７２】
本実施形態においては、中継部３３Ａの波形状の部分が伸縮することにより、電線接続部３１に対する相手側接続部３２の位置を動かすことができる。本実施形態でも、第１実施形態と同様の効果を得ることができる。
【００７３】
＜第３実施形態＞
次に、図７〜９を参照しつつ、第３実施形態に係る端子付電線１Ｂについて説明する。図７は、端子付電線１Ｂの平面図である。端子付電線１Ｂは、第１実施形態の端子３と異なる形状の端子３Ｂを備えている。図８は、端子３Ｂの平面図である。図８において、中継部３３Ｂが曲げられる前の状態の端子３Ｂが、二点鎖線（仮想線）で示されている。図９は、端子３Ｂの側面図である。図７〜９において、図１〜６に示される構成要素と同じ構成要素は、同じ参照符号が付されている。以下、端子付電線１Ｂにおける端子付電線１と異なる点について説明する。
【００７４】
端子３Ｂは、電線接続部３１及び相手側接続部３２よりも幅の狭い中継部３３Ｂを含む金属板材３０Ｘが重ね合わされて形成されている。電線接続部３１及び相手側接続部３２よりも幅の狭い中継部３３Ｂを含む金属板材３０Ｘは、金属板材３Ｘに比べ、中継部３３Ｂの箇所でねじり易い。
【００７５】
端子３Ｂにおいては、中継部３３Ｂの主面が、電線接続部３１又は相手側接続部３２の主面に直交するように、端子３Ｂの中継部３３Ｂがねじられる。そして、中継部３３Ｂがねじられた状態で、折り返された部分が形成されるように中継部３３Ｂが曲げられる。本実施形態では、中継部３３Ｂは、折り返された部分を２箇所含んでいる。
【００７６】
本実施形態においては、中継部３３Ｂが、折り返された部分が伸縮することにより、電線接続部３１に対する相手側接続部３２の位置を動かすことができる。本実施形態においても、第１実施形態と同様の効果を得ることができる。また、本実施形態では、端子３Ｂの相手側接続部３２を、端子３Ｂの幅方向に沿って動かしやすくすることができる。
【００７７】
＜第４実施形態＞
次に、図１０を参照しつつ、第４実施形態に係る端子付電線１Ｃについて説明する。図１０は、端子付電線１Ｃの平面図である。図１０において、図１〜９に示される構成要素と同じ構成要素は、同じ参照符号が付されている。
【００７８】
本実施形態では、端子付電線１Ｃは、第１実施形態の端子３と異なる形状の端子３Ｃを備えている。以下、端子付電線１Ｃにおける端子付電線１と異なる点について説明する。
【００７９】
端子３Ｃは、第３実施形態と同様、電線接続部３１及び相手側接続部３２よりも幅の狭い中継部３３Ｃを含む金属板材３０Ｘが重ね合わされることによって形成されている。そして、図１０に示されるように、端子３Ｃにおいては、中継部３３Ｃがねじられながら螺旋状に曲げられた形状を有する。即ち、本実施形態において、中継部３３Ｃは、コイルばね形状に曲げられている。
【００８０】
本実施形態では、中継部３３Ｃが、さらに弾性変形し、電線接続部３１に対する相手側接続部３２の位置を動かすことができる。本実施形態においても、第１実施形態と同様の効果を得ることができる。
【００８１】
＜応用例＞
端子付電線１において、端子３が、中継部３３が予め曲げられていない平板状である場合も考えられる。また、端子３の相手側接続部３２が、ボルト孔３２１以外の構造である場合も考えられる。
【００８２】
また、相手側部材５が、端子台以外の場合も考えられる。例えば、相手側部材５が、端子である場合等が考えられる。
【００８３】
なお、本発明に係る端子及び端子付電線は、各請求項に記載された発明の範囲において、以上に示された各実施形態及び応用例を自由に組み合わせること、或いは、各実施形態及び応用例を適宜、変形する又は一部を省略することによって構成されることも可能である。
【符号の説明】
【００８４】
１  端子付電線
２  電線
３  端子
３１  電線接続部
３１１  スリット
３１２  凹凸部
３２  相手側接続部
３３  中継部
３Ｘ  金属板材
４  モールド部
７  はんだ
【図１】
2016058182.tif 000003
【図２】
2016058182.tif 000004
【図３】
2016058182.tif 000005
【図４】
2016058182.tif 000006
【図５】
2016058182.tif 000007
【図６】
2016058182.tif 000008
【図７】
2016058182.tif 000009
【図８】
2016058182.tif 000010
【図９】
2016058182.tif 000011
【図１０】
2016058182.tif 000012